(57)【要約】  冷却倉庫は、断熱パネルで構成され、庫外空気を導入する導入口及び庫内空気を排出する排出口がそれぞれ形成された倉庫本体と、導入口に設けられ、導入口を開閉する導入蓋と、排出口に設けられ、排出口を開閉する排出蓋と、倉庫本体の内部に設けられ、冷媒の漏洩を検出する漏洩検出部と、漏洩検出部によって冷媒の漏洩が検出された場合、導入口及び排出口を開くように導入蓋及び排出蓋を制御する制御部と、を備える。
2017109932.tif 000002
【特許請求の範囲】
【請求項１】
断熱パネルで構成され、庫外空気を導入する導入口及び庫内空気を排出する排出口がそれぞれ形成された倉庫本体と、
前記導入口に設けられ、前記導入口を開閉する導入蓋と、
前記排出口に設けられ、前記排出口を開閉する排出蓋と、
前記倉庫本体の内部に設けられ、冷媒の漏洩を検出する漏洩検出部と、
前記漏洩検出部によって前記冷媒の漏洩が検出された場合、前記導入口及び前記排出口を開くように前記導入蓋及び前記排出蓋を制御する制御部と、
を備える冷却倉庫。
【請求項２】
前記導入口は、前記倉庫本体の天井面から前記倉庫本体の高さの１／３までの間に形成されるものであり、
前記排出口は、前記倉庫本体の床面から前記倉庫本体の高さの１／３までの間に形成されている
請求項１記載の冷却倉庫。
【請求項３】
前記導入蓋に設けられ、前記導入蓋を開閉駆動する導入電動機と、
前記排出蓋に設けられ、前記排出蓋を開閉駆動する排出電動機と、を更に備え、
前記制御部は、
前記導入電動機及び前記排出電動機に接続された接点を有し、
前記漏洩検出部によって前記冷媒の漏洩が検出された場合、前記接点を閉じて、前記導入電動機及び前記排出電動機を動作させるものである
請求項１又は２記載の冷却倉庫。
【請求項４】
前記倉庫本体における前記導入口又は前記排出口に設けられた送風機を更に備える
請求項１〜３のいずれか１項に記載の冷却倉庫。
【請求項５】
前記倉庫本体には開口部が形成されており、
前記開口部に設けられ、庫外空気の圧力と庫内空気の圧力とに差が生じた場合、前記開口部を開く気圧調整弁を更に備える
請求項１〜４のいずれか１項に記載の冷却倉庫。
【請求項６】
前記倉庫本体の周囲は、
複数の前記断熱パネル同士がシーリングされている
請求項１〜５のいずれか１項に記載の冷却倉庫。
【発明の詳細な説明】
【技術分野】
【０００１】
本発明は、漏洩した冷媒を排出する冷却倉庫に関する。
【背景技術】
【０００２】
冷却倉庫として、プレハブ冷蔵庫又はプレハブ冷凍庫等が知られており、人又はフォークリフト等が出入りすることができるものである。冷却倉庫の内部は、冷媒を使用する冷凍サイクル装置によって冷却されており、冷却倉庫の内部には、ユニットクーラと呼称される室内機が配置されている（非特許文献１及び非特許文献２参照）。従来、冷凍サイクル装置に使用される冷媒として、燃焼性が低く毒性が低いフルオロカーボン系冷媒が使用されている。近年、地球環境保全の観点から、ＧＷＰ即ち地球温暖化係数が低い冷媒が注目されている。冷却倉庫は、筐体が断熱パネルで構成されており、断熱パネルの目地はシーリングされているため、気密性が極めて高い。微燃性冷媒を含有するフルオロカーボン系冷媒は、比重が空気より高く、室内機から冷媒が漏洩した場合、冷却倉庫の内部に冷媒が滞留する虞がある。【０００３】
特許文献１には、低ＧＷＰである微燃性冷媒を使用する冷凍サイクル装置を備えた冷却倉庫が開示されている。特許文献１では、冷媒が漏洩した場合、漏洩した冷媒が室外ユニットに貯留される。
【先行技術文献】
【特許文献】
【０００４】
【特許文献１】特許第３１０９５００号公報
【非特許文献】
【０００５】
【非特許文献１】冷蔵倉庫  日本冷凍空調学会  ９７頁
【非特許文献２】三菱電機株式会社  ユニットクーラカタログ  ２０１４年１１月
【発明の概要】
【発明が解決しようとする課題】
【０００６】
しかしながら、特許文献１に開示された冷却倉庫は、筐体が断熱パネルで構成されていない。断熱パネルで構成された筐体を備える冷却倉庫は、気密性が極めて高いため、より確実に冷媒を排出することが望まれている。【０００７】
本発明は、上記のような課題を解決するためになされたもので、断熱パネルで構成された筐体を備える冷却倉庫において、冷媒が漏洩した場合に、容易に冷媒を排出する冷却倉庫を提供するものである。
【課題を解決するための手段】
【０００８】
本発明に係る冷却倉庫は、断熱パネルで構成され、庫外空気を導入する導入口及び庫内空気を排出する排出口がそれぞれ形成された倉庫本体と、導入口に設けられ、導入口を開閉する導入蓋と、排出口に設けられ、排出口を開閉する排出蓋と、倉庫本体の内部に設けられ、冷媒の漏洩を検出する漏洩検出部と、漏洩検出部によって冷媒の漏洩が検出された場合、導入口及び排出口を開くように導入蓋及び排出蓋を制御する制御部と、を備える。
【発明の効果】
【０００９】
本発明によれば、制御部は、冷媒の漏洩が検出された場合、導入口及び排出口を開くため、導入口から導入された空気が、漏洩した冷媒と共に、排出口から排出される。このため、断熱パネルで構成された倉庫本体を備える冷却倉庫においても、冷媒が漏洩した場合に、容易に冷媒を排出することができる。
【図面の簡単な説明】
【００１０】
【図１】本発明の実施の形態１に係る冷却倉庫１００を示す断面図である。
【図２】本発明の実施の形態１における冷凍サイクル装置１０を示す回路図である。
【図３】本発明の実施の形態１に係る冷却倉庫１００を示す断面図である。
【図４】本発明の実施の形態２に係る冷却倉庫２００を示す断面図である。
【図５】本発明の実施の形態２に係る冷却倉庫２００を示す断面図である。
【図６】本発明の実施の形態３に係る冷却倉庫３００を示す断面図である。
【図７】本発明の実施の形態３に係る冷却倉庫３００を示す断面図である。
【発明を実施するための形態】
【００１１】
実施の形態１．
以下、本発明に係る冷却倉庫の実施の形態について、図面を参照しながら説明する。図１は、本発明の実施の形態１に係る冷却倉庫１００を示す断面図である。この図１に基づいて、冷却倉庫１００について説明する。図１に示すように、冷却倉庫１００は、倉庫本体１と、導入蓋３２ａと、導入電動機３２ｂと、排出蓋３１ａと、排出電動機３１ｂと、漏洩検出部４１と、制御部４２とを備えている。また、冷却倉庫１００には、冷凍サイクル装置１０が設けられている。
【００１２】
倉庫本体１は、断熱パネル１ｆで構成され、導入口３２及び排出口３１が形成されたものであり、例えば冷却倉庫１００の外殻を構成する直方体状の筐体である。また、倉庫本体１の周囲は、複数の断熱パネル１ｆ同士がシーリングされており、例えばプレハブ冷蔵庫である。倉庫本体１には、人２又は荷物３等が出入りする扉１ｅが設けられている。導入口３２は、庫外空気を冷却倉庫１００の内部に導入する開口であり、例えば倉庫本体１の天井面１ｃから倉庫本体１の高さの１／３までの間の壁面１ｂに形成されている。なお、導入口３２は、倉庫本体１の天井面１ｃに形成されていてもよい。排出口３１は、庫内空気を冷却倉庫１００の外部に排出する開口であり、例えば倉庫本体１の床面１ａから倉庫本体１の高さの１／３までの間の壁面１ｂに形成されている。なお、排出口３１は、倉庫本体１の床面１ａに形成されていてもよい。
【００１３】
導入蓋３２ａは、導入口３２に設けられ、導入口３２を開閉するものである。導入電動機３２ｂは、導入蓋３２ａに設けられ、導入蓋３２ａを開閉駆動するものである。排出蓋３１ａは、排出口３１に設けられ、排出口３１を開閉するものである。排出電動機３１ｂは、排出蓋３１ａに設けられ、排出蓋３１ａを開閉駆動するものである。
【００１４】
図２は、本発明の実施の形態１における冷凍サイクル装置１０を示す回路図である。図２に示すように、冷凍サイクル装置１０は、例えば圧縮機１１、室外熱交換器１２、膨張部１３及び室内熱交換器１４が配管２４により接続され、冷媒が流通する冷媒回路を有している。冷凍サイクル装置１０は、室外機２１及び室内機２２を有しており、室外機２１及び室内機２２は、配管２４により接続されている。配管２４は、室外機２１から倉庫本体１までにおいて庫外に位置する配管２４ａと、倉庫本体１から室内機２２までにおいて庫内に位置する配管２４ｂとがある。室外機２１は、冷却倉庫１００の外部に設置されており、室外機２１の内部には、例えば圧縮機１１及び室外熱交換器１２が設置されている。室内機２２は、冷却倉庫１００の内部に設置されており、室内機２２の内部には、例えば膨張部１３及び室内熱交換器１４が設置されている。
【００１５】
圧縮機１１は、冷媒を圧縮するものである。室外熱交換器１２は、庫外空気と冷媒との間で熱交換して、冷媒を凝縮するものである。膨張部１３は、冷媒を膨張及び減圧するものである。室内熱交換器１４は、庫内空気と冷媒との間で熱交換して、冷媒を蒸発するものである。なお、冷凍サイクル装置１０に使用される冷媒は、例えば微燃性冷媒である。また、本実施の形態１では、室内機２２は、冷却倉庫１００の内部の天井面１ｃに設置されているが、設置場所は、壁面１ｂでもよく床面１ａでもよい。更に、本実施の形態１では、室内機２２は２台設置されているが、設置台数は、１台でもよいし３台以上でもよい。
【００１６】
ここで、冷凍サイクル装置１０の冷房運転の動作について説明する。冷媒は、室外機２１の圧縮機１１に吸入され、圧縮機１１によって圧縮されて高温高圧のガスの状態で吐出する。吐出された冷媒は、室外熱交換器１２に流入する。室外熱交換器１２に流入した冷媒は、庫外空気と熱交換されて凝縮される。凝縮された冷媒は、各室内機２２の膨張部１３に流入し、膨張部１３によって膨張及び減圧される。減圧された冷媒は、室内熱交換器１４に流入する。室内熱交換器１４に流入した冷媒は、庫内空気と熱交換されて蒸発される。その際、庫内空気が冷却されて冷却倉庫１００の内部が冷房される。その後、蒸発された冷媒は、圧縮機１１に吸入される。なお、冷凍サイクル装置１０において、流路切替装置が設けられていてもよい。この場合、暖房運転を実施することもできる。
【００１７】
漏洩検出部４１は、倉庫本体１の内部に設けられ、冷媒の漏洩を検出するものである。漏洩検出部４１は、例えば倉庫本体１の床面１ａから倉庫本体１の高さの１／３までの間の空間に設けられている。これにより、冷媒の比重が庫内空気の比重より高く、冷媒が冷却倉庫１００の内部の下部に滞留した場合、漏洩検出部４１は、冷媒の漏洩を正確に検出することができる。なお、漏洩検出部４１は、例えば室内機２２又は室内に配置した配管２４ｂから漏洩した冷媒を検出する。また、漏洩検出部４１は、例えば倉庫本体１の天井面１ｃから倉庫本体１の高さの１／３までの間の空間に設けられていてもよい。これにより、冷媒の比重が庫内空気の比重より低く、冷媒が冷却倉庫１００の内部の上部に滞留した場合、漏洩検出部４１は、冷媒の漏洩を正確に検出することができる。
【００１８】
制御部４２は、漏洩検出部４１によって冷媒の漏洩が検出された場合、導入口３２及び排出口３１を開くように導入蓋３２ａ及び排出蓋３１ａを制御するものである。制御部４２は、導入電動機３２ｂ及び排出電動機３１ｂに接続された接点（図示せず）を有する。そして、制御部４２は、漏洩検出部４１によって冷媒の漏洩が検出された場合、接点を閉じて、導入電動機３２ｂ及び排出電動機３１ｂを動作させるものである。これにより、導入蓋３２ａ及び排出蓋３１ａが開閉駆動され、導入口３２及び排出口３１が開かれる。なお、導入蓋３２ａ及び排出蓋３１ａは、同時に開閉駆動されてもよいし、別々のタイミングで開閉駆動されてもよい。
【００１９】
図３は、本発明の実施の形態１に係る冷却倉庫１００を示す断面図である。次に、制御部４２の動作について説明する。冷却倉庫１００において、通常、冷凍サイクル装置１０が稼働しており、室内機２２の内部に設けられた室内熱交換器１４によって、冷却倉庫１００の内部の庫内空気が冷却されている。また、制御部４２は、導入電動機３２ｂ及び排出電動機３１ｂに接続された接点を開き、導入電動機３２ｂ及び排出電動機３１ｂを停止させる。従って、導入蓋３２ａ及び排出蓋３１ａは閉じており、導入口３２及び排出口３１は遮蔽されている。
【００２０】
冷却倉庫１００の内部において、漏洩検出部４１によって冷媒の漏洩が検出された場合、制御部４２は、導入電動機３２ｂ及び排出電動機３１ｂに接続された接点を閉じて、導入電動機３２ｂ及び排出電動機３１ｂを動作させる。従って、導入蓋３２ａ及び排出蓋３１ａは開かれ、導入口３２及び排出口３１が開放される。その際、制御部４２は、室内機２２及び室外機２１の運転を停止する。
【００２１】
本実施の形態１によれば、制御部４２は、冷媒の漏洩が検出された場合、導入蓋３２ａ及び排出蓋３１ａを開くため、図３に示すように、導入口３２から導入経路７１を通って導入された庫外空気が、漏洩した冷媒６と共に排出経路７２を通って排出口３１から排出される。このため、断熱パネル１ｆで構成された倉庫本体１を備える冷却倉庫１００においても、冷媒が漏洩した場合に、容易に冷媒を排出することができる。また、冷媒が漏洩した場合に、複数の弁等を開閉するといった複雑な制御を必要とせず、容易に冷媒を排出することができる。また、室内機２２の運転が停止されるため、漏洩した冷媒と庫内空気とが撹拌されない。これにより、冷却倉庫１００の外部に冷媒を迅速に排出することができる。
【００２２】
一台の室外機に対し複数の室内機が接続される冷凍サイクル装置が設けられた複数の冷却倉庫の場合、一台の室内機から冷媒が漏洩すると、冷却倉庫の内部の容積と比較して多量の冷媒が漏洩する。ここで、室外機の冷却能力が同じ場合、冷却することができる冷却倉庫の総容量は同じである。即ち、一つの冷却倉庫を冷却する場合における冷却倉庫の容量は、複数の冷却倉庫を冷却する場合における各冷却倉庫の容量よりも大きい。従って、一台の室外機に対し複数の室内機が接続される冷凍サイクル装置が設けられた複数の冷却倉庫は、同じ冷却能力の室外機に対し一台の室内機が接続される冷凍サイクル装置が設けられた冷却倉庫に比べて、漏洩する冷媒の濃度が高い。
【００２３】
ここで、漏洩する冷媒の量を、冷蔵庫の内部の容積で除算した値を室内冷媒濃度とする。一つの冷却倉庫を冷却する場合と、複数の冷却倉庫を冷却する場合とでは、冷媒不足に至るまでの冷媒の量は等しい。また、一つの冷却倉庫を冷却する場合と、複数の冷却倉庫を冷却する場合とでは、冷却倉庫の全容量は等しいため、複数の冷却倉庫を冷却する場合の方が、各冷却倉庫の内部の容量は小さい。従って、室内冷媒濃度は、複数の冷却倉庫を冷却する場合の方が、一つの冷却倉庫を冷却する場合よりも高い。
【００２４】
従来、漏洩した冷媒を検出した場合に、室外機に冷媒を貯留する技術が開示されている。しかし、一台の室外機に対し複数の室内機が接続される冷凍サイクル装置が設けられた複数の冷却倉庫を冷却する場合における各冷却倉庫において、漏洩した冷媒が検出されるまでに時間を要する。このため、１つの冷却倉庫に、漏洩冷媒検出下限量の冷媒が滞留し、冷媒の濃度が高くなる。これに対し、本実施の形態１は、制御部４２が、冷媒の漏洩が検出された場合、導入蓋３２ａ及び排出蓋３１ａを開く。従って、一台の室外機２１に対し複数の室内機２２が接続される冷凍サイクル装置１０が設けられた複数の冷却倉庫１００を冷却する場合における各冷却倉庫１００においても、漏洩した冷媒の濃度が高くなる前に、漏洩した冷媒を庫外に排出することができる。
【００２５】
また、導入口３２は、倉庫本体１の天井面１ｃから倉庫本体１の高さの１／３までの間に形成されるものであり、排出口３１は、倉庫本体１の床面１ａから倉庫本体１の高さの１／３までの間に形成されている。冷却倉庫１００の内部は、冷凍サイクル装置１０によって冷却されているため、庫内空気は庫外空気よりも低温であり、比重が高い。例えば庫内空気の比重は、乾球温度を５℃、相対湿度を５０％とすると、１．３ｋｇ／ｍ３であり、庫外空気の比重は、乾球温度を２５℃、相対湿度を６０％とすると、１．２ｋｇ／ｍ３である。従って、庫内空気の方が比重が高いため導入口３２及び排出口３１が開放されると庫内空気が下降し排出され、庫内空気が下降し排出された分だけ庫外空気が導入口３２から導入される。
【００２６】
ここで、本実施の形態１において、冷媒の比重は、乾球温度を５℃、相対湿度を５０％とすると、約２１．０ｋｇ／ｍ３である。従って、冷媒は、冷媒と庫内空気との比重差によって、冷却倉庫１００の内部の下部に滞留する。これにより、倉庫本体１の床面１ａ、又は、床面１ａから倉庫本体１の高さの１／３までの間の壁面１ｂに形成された排出口３１が開放されると床面に滞留した冷媒から優先的に排出される。このように、本実施の形態１では、冷媒をより迅速に冷却倉庫１００の外部に排出することができる。
【００２７】
また、導入蓋３２ａに設けられ、導入蓋３２ａを開閉駆動する導入電動機３２ｂと、排出蓋３１ａに設けられ、排出蓋３１ａを開閉駆動する排出電動機３１ｂと、を更に備え、制御部４２は、導入電動機３２ｂ及び排出電動機３１ｂに接続された接点を有し、漏洩検出部４１によって冷媒の漏洩が検出された場合、接点を閉じて、導入電動機３２ｂ及び排出電動機３１ｂを動作させるものである。これにより、導入蓋３２ａ及び排出蓋３１ａが開かれ、導入口３２及び排出口３１が開放される。
【００２８】
倉庫本体１の周囲は、複数の断熱パネル１ｆ同士がシーリングされている。このように、本実施の形態１の冷却倉庫１００は、気密性が高い例えばプレハブ冷蔵庫等である。
【００２９】
実施の形態２．
図４は、本発明の実施の形態２に係る冷却倉庫２００を示す断面図である。本実施の形態２は、冷却倉庫２００が送風機５１を備えている点で、実施の形態１と相違する。本実施の形態２では、実施の形態１と同一の部分は同一の符号を付して説明を省略し、実施の形態１との相違点を中心に説明する。
【００３０】
図４に示すように、送風機５１は、倉庫本体１における導入口３２に設けられている。送風機５１は、冷却倉庫２００の外部から冷却倉庫２００の内部に庫外空気を導入する向きで取り付けられている。なお、導入蓋２３２ａは、送風機５１が停止中に、冷却倉庫１００の内部と冷却倉庫１００の外部とを隔てる隔壁であり、圧力式又は電動式である。制御部４２は、漏洩検出部４１によって冷媒の漏洩が検出された場合、送風機５１を動作させるものである。
【００３１】
図５は、本発明の実施の形態２に係る冷却倉庫２００を示す断面図である。次に、制御部４２の動作について説明する。冷却倉庫２００において、通常、冷凍サイクル装置１０が稼働しており、室内機２２の内部に設けられた室内熱交換器１４によって、冷却倉庫１００の内部の庫内空気が冷却されている。また、制御部４２は、導入電動機３２ｂ、排出電動機３１ｂ及び送風機５１に接続された接点を開き、導入電動機３２ｂ、排出電動機３１ｂ及び送風機５１を停止させる。従って、導入蓋３２ａ及び排出蓋３１ａは閉じており、導入口３２及び排出口３１は遮蔽されている。
【００３２】
冷却倉庫２００の内部において、漏洩検出部４１によって冷媒の漏洩が検出された場合、制御部４２は、導入電動機３２ｂ、排出電動機３１ｂ及び送風機５１に接続された接点を閉じて、導入電動機３２ｂ、排出電動機３１ｂ及び送風機５１を動作させる。従って、導入蓋２３２ａ及び排出蓋３１ａは開かれ、導入口３２及び排出口３１が開放される。また、送風機５１が動作する。その際、制御部４２は、室内機２２及び室外機２１の運転を停止する。
【００３３】
本実施の形態２によれば、倉庫本体１における導入口３２に設けられた送風機５１を更に備える。そして、制御部４２は、冷媒の漏洩が検出された場合、導入蓋３２ａ及び排出蓋３１ａを開き、送風機５１を動作させる。また、送風機５１は、冷却倉庫１００の外部から冷却倉庫１００の内部に庫外空気を導入する向きで取り付けられている。このため、図５に示すように、送風機５１によって、庫外空気が導入口３２から導入され、冷却倉庫１００の内部は正圧に加圧される。
【００３４】
そして、送風機５１が発生させる静圧により庫内を陽圧に保ち、床面に滞留した冷媒６を排出経路７２を経由し排出口３１から排出する。従って、より容易に冷媒を排出することができる。また、室内機２２の運転が停止されるため、漏洩した冷媒と庫内空気とが撹拌されない。これにより、冷却倉庫２００の外部に冷媒を迅速に排出することができる。
【００３５】
なお、送風機５１は、冷却倉庫２００の内部から冷却倉庫２００の外部に庫内空気を排出する向きで取り付けられていてもよい。冷媒の比重が庫内空気の比重より低く、冷媒が冷却倉庫２００の内部の上部に滞留した場合、排出口３１から取り込まれた庫外空気が、漏洩した冷媒と共に、送風機５１の静圧によって庫内空気となって導入口３２から出ていく。この場合、導入口３２は庫内空気を排出する開口として機能し、排出口３１は庫外空気を導入する開口として機能する。
【００３６】
また、制御部４２は、送風機５１の回転方向を逆にして送風機５１を動作させるように構成されてもよい。冷媒の比重が庫内空気の比重より低く、冷媒が冷却倉庫２００の内部の上部に滞留した場合、排出口３１から取り込まれた庫外空気が、漏洩した冷媒と共に、送風機５１の静圧によって庫内空気となって導入口３２から出ていく。この場合、導入口３２は庫内空気を排出する開口として機能し、排出口３１は庫外空気を導入する開口として機能する。
【００３７】
なお、送風機５１は、倉庫本体１における排出口３１に設けられていてもよい。この場合、送風機５１は、冷却倉庫２００の内部から冷却倉庫２００の外部に庫内空気を排出する向きで取り付けられる。冷媒の比重が庫内空気の比重より高く、冷媒が冷却倉庫２００の内部の下部に滞留した場合、送風機５１が発生させる静圧を利用して庫内空気を撹拌することなく速やかに排出される。このように、倉庫本体１における導入口３２又は排出口３１に設けられた送風機５１を更に備えることにより、冷却倉庫２００の外部に冷媒を迅速に排出することができる。
【００３８】
実施の形態３．
図６は、本発明の実施の形態３に係る冷却倉庫３００を示す断面図である。本実施の形態３は、排出蓋３３１ａが気圧調整弁である点で、実施の形態２と相違する。本実施の形態３では、実施の形態１及び２と同一の部分は同一の符号を付して説明を省略し、実施の形態１及び２との相違点を中心に説明する。
【００３９】
図６に示すように、排出蓋３３１ａは気圧調整弁であり、気圧調整弁は、庫外空気の圧力と庫内空気の圧力とに差が生じた場合、排出口３１を開放するものである。冷却倉庫３００の扉１ｅが開閉される際、温かい庫外空気が、冷却倉庫３００の内部に進入して急激に冷却されると、庫内空気の圧力が低下し、扉１ｅが開かなくなる場合がある。また、冷凍サイクル装置１０が除霜運転を行う際、ヒータを用いて除霜する場合、ヒータで加熱された空気が庫内に循環すると、庫内空気の圧力が急激に高まり、扉１ｅ及び冷却倉庫３００に設けられたパネル等が、圧力によって破壊又は変形する場合がある。気圧調整弁は、冷却倉庫３００の内部の気圧を調整することによって、扉１ｅが開かなくなること、扉１ｅ及びパネル等の破壊又は変形を解消するものである。
【００４０】
図７は、本発明の実施の形態３に係る冷却倉庫３００を示す断面図である。次に、制御部４２の動作について説明する。冷却倉庫３００において、通常、冷凍サイクル装置１０が稼働しており、室内機２２の内部に設けられた室内熱交換器１４によって、冷却倉庫３００の内部の庫内空気が冷却されている。また、制御部４２は、導入電動機３２ｂ及び送風機５１に接続された接点を開き、導入電動機３２ｂ及び送風機５１を停止させる。従って、導入蓋３２ａは閉じており、導入口３２は遮蔽されている。また、気圧調整弁である排出蓋３３１ａは、庫外空気の圧力と庫内空気の圧力とが同等であるため、閉じており、排出口３１は遮蔽されている。
【００４１】
冷却倉庫３００の内部において、漏洩検出部４１によって冷媒の漏洩が検出された場合、制御部４２は、導入電動機３２ｂ及び送風機５１に接続された接点を閉じて、導入電動機３２ｂ及び送風機５１を動作させる。従って、導入蓋３２ａは開かれ、導入口３２が開放される。また、送風機５１が動作する。送風機５１が動作すると、庫外空気が導入口３２から導入され、冷却倉庫３００の内部は正圧に加圧される。そして、気圧調整弁である排出蓋３３１ａは、送風機５１が発生させる静圧によって、押されて開く。これにより、排出口３１が開放される。その際、制御部４２は、室内機２２の運転を停止する。
【００４２】
本実施の形態３によれば、倉庫本体１には開口部が形成されており、開口部である排出口３１に設けられ、庫外空気の圧力と庫内空気の圧力とに差が生じた場合、開口部である排出口３１を開く排出蓋３３１ａを更に備える。そして、排出蓋３３１ａは、庫外空気の圧力と庫内空気の圧力とに差が生じた場合、排出口３１を開放する気圧調整弁である。そして、制御部４２は、冷媒の漏洩が検出された場合、導入蓋３２ａを開き、送風機５１を動作させる。また、送風機５１は、冷却倉庫３００の外部から冷却倉庫３００の内部に庫外空気を導入する向きで取り付けられている。このため、図７に示すように、送風機５１によって、庫外空気が導入口３２から導入され、冷却倉庫３００の内部は正圧に加圧される。また、気圧調整弁である排出蓋３３１ａは、送風機５１が発生させる静圧によって、押されて開く。これにより、排出口３１が開放される。
【００４３】
そして、送風機５１が発生させる静圧を利用して、導入口３２から導入経路７１を通って導入された庫外空気が、漏洩した冷媒６と共に排出経路７２を通って排出口３１から排出される。従って、より容易に冷媒を排出することができる。また、室内機２２の運転が停止されるため、漏洩した冷媒と庫内空気とが撹拌されない。これにより、冷却倉庫３００の外部に冷媒を迅速に排出することができる。
【００４４】
なお、送風機５１は、冷却倉庫３００の内部から冷却倉庫３００の外部に庫内空気を排出する向きで取り付けられていてもよい。冷媒の比重が庫内空気の比重より低く、冷媒が冷却倉庫３００の内部の上部に滞留した場合、排出口３１から取り込まれた庫外空気が、漏洩した冷媒と共に、送風機５１の静圧によって導入口３２から出ていく。この場合、導入口３２は庫内空気を排出する開口として機能し、排出口３１は庫外空気を導入する開口として機能する。また、気圧調整弁は、排出蓋３３１ａとせず、排出蓋とは別に設けられてもよい。
【００４５】
また、制御部４２は、送風機５１の回転方向を逆にして送風機５１を動作させるように構成されてもよい。冷媒の比重が庫内空気の比重より低く、冷媒が冷却倉庫３００の内部の上部に滞留した場合、排出口３１から取り込まれた庫外空気が、漏洩した冷媒と共に、送風機５１の静圧によって庫内空気となって導入口３２から出ていく。この場合、導入口３２は庫内空気を排出する開口として機能し、排出口３１は庫外空気を導入する開口として機能する。なお、気圧調整弁である排出蓋３３１ａは、庫外空気を導入する開口を開くものとして機能する。
【００４６】
なお、送風機５１は、倉庫本体１における排出口３１に設けられ、排出蓋３３１ａは、庫外空気の圧力と庫内空気の圧力とに差が生じた場合、導入口３２を開放する気圧調整弁であってもよい。この場合、送風機５１は、冷却倉庫３００の内部から冷却倉庫３００の外部に庫内空気を排出する向きで取り付けられる。冷媒の比重が庫内空気の比重より高く、冷媒が冷却倉庫３００の内部の下部に滞留した場合、送風機５１が発生させる静圧を利用して庫内空気を撹拌することなく速やかに排出口３１から排出される。このように、導入蓋３２ａ又は排出蓋３３１ａは、庫外空気の圧力と庫内空気の圧力とに差が生じた場合、導入口３２又は排出口３１を開放する気圧調整弁である。これにより、別途排出蓋３３１ａを取り付けることが不要となる。
【００４７】
なお、上記実施の形態では、制御部４２は、導入電動機３２ｂ、排出電動機３１ｂ及び送風機５１に接続された接点を閉じるものであったが、導入電動機３２ｂ、排出電動機３１ｂ及び送風機５１に接続された接点を、冷媒漏洩異常信号接点と共通化してもよい。これにより、接点を、例えば警告灯の点灯出力又は遠隔異常信号発報出力等に利用することができる。
【符号の説明】
【００４８】
１  倉庫本体、１ａ  床面、１ｂ  壁面、１ｃ  天井面、１ｅ  扉、１ｆ  断熱パネル、２  人、３  荷物、６  冷媒、１０  冷凍サイクル装置、１１  圧縮機、１２  室外熱交換器、１３  膨張部、１４  室内熱交換器、２１  室外機、２２  室内機、２４，２４ａ，２４ｂ  配管、３１  排出口、３１ａ  排出蓋、３１ｂ  排出電動機、３２  導入口、３２ａ  導入蓋、３２ｂ  導入電動機、４１  漏洩検出部、４２  制御部、５１  送風機、７１  導入経路、７２  排出経路、１００  冷却倉庫、２００  冷却倉庫、２３２ａ  導入蓋、３００  冷却倉庫、３３１ａ  排出蓋。
【図１】
2017109932.tif 000003
【図２】
2017109932.tif 000004
【図３】
2017109932.tif 000005
【図４】
2017109932.tif 000006
【図５】
2017109932.tif 000007
【図６】
2017109932.tif 000008
【図７】
2017109932.tif 000009
【手続補正書】
【提出日】平成30年4月18日(2018.4.18)
【手続補正２】
【補正対象書類名】明細書
【補正対象項目名】０００１
【補正方法】変更
【補正の内容】
【０００１】
本発明は、漏洩した冷媒を排出する冷却倉庫及び冷却倉庫を制御する制御装置に関する。
【手続補正３】
【補正対象書類名】明細書
【補正対象項目名】０００７
【補正方法】変更
【補正の内容】
【０００７】
本発明は、上記のような課題を解決するためになされたもので、断熱パネルで構成された筐体を備える冷却倉庫において、冷媒が漏洩した場合に、容易に冷媒を排出する冷却倉庫及び冷却倉庫を制御する制御装置を提供するものである。
【手続補正４】
【補正対象書類名】明細書
【補正対象項目名】０００８
【補正方法】変更
【補正の内容】
【０００８】
本発明に係る冷却倉庫は、室外機と室内機とを有する冷凍サイクル装置が設けられた冷却倉庫であって、庫外空気を導入する導入口及び庫内空気を排出する排出口がそれぞれ形成された倉庫本体と、導入口に設けられ、導入口を開閉する導入蓋と、排出口に設けられ、排出口を開閉する排出蓋と、倉庫本体の内部に設けられ、冷媒の漏洩を検出する漏洩検出部と、漏洩検出部によって冷媒の漏洩が検出された場合、導入口及び排出口を開くように導入蓋及び排出蓋を制御すると共に、室内機を停止させる制御部と、を備える。
【手続補正５】
【補正対象書類名】特許請求の範囲
【補正対象項目名】全文
【補正方法】変更
【補正の内容】
【特許請求の範囲】
【請求項１】
室外機と室内機とを有する冷凍サイクル装置が設けられた冷却倉庫であって、
庫外空気を導入する導入口及び庫内空気を排出する排出口がそれぞれ形成された倉庫本体と、
前記導入口に設けられ、前記導入口を開閉する導入蓋と、
前記排出口に設けられ、前記排出口を開閉する排出蓋と、
前記倉庫本体の内部に設けられ、冷媒の漏洩を検出する漏洩検出部と、
前記漏洩検出部によって前記冷媒の漏洩が検出された場合、前記導入口及び前記排出口を開くように前記導入蓋及び前記排出蓋を制御すると共に、前記室内機を停止させる制御部と、
を備える冷却倉庫。
【請求項２】
前記導入口は、前記倉庫本体の天井面から前記倉庫本体の高さの１／３までの間に形成されるものであり、
前記排出口は、前記倉庫本体の床面から前記倉庫本体の高さの１／３までの間に形成されている
請求項１記載の冷却倉庫。
【請求項３】
前記導入蓋に設けられ、前記導入蓋を開閉駆動する導入電動機と、
前記排出蓋に設けられ、前記排出蓋を開閉駆動する排出電動機と、を更に備え、
前記制御部は、
前記導入電動機及び前記排出電動機に接続された接点を有し、
前記漏洩検出部によって前記冷媒の漏洩が検出された場合、前記接点を閉じて、前記導入電動機及び前記排出電動機を動作させるものである
請求項１又は２記載の冷却倉庫。
【請求項４】
前記倉庫本体における前記導入口又は前記排出口に設けられた送風機を更に備える
請求項１〜３のいずれか１項に記載の冷却倉庫。
【請求項５】
前記倉庫本体には開口部が形成されており、
前記開口部に設けられ、庫外空気の圧力と庫内空気の圧力とに差が生じた場合、前記開口部を開く気圧調整弁を更に備える
請求項１〜４のいずれか１項に記載の冷却倉庫。
【請求項６】
前記倉庫本体は、断熱パネルで構成されている
請求項１〜５のいずれか１項に記載の冷却倉庫。
【請求項７】
前記倉庫本体の周囲は、
複数の前記断熱パネル同士がシーリングされている
請求項６記載の冷却倉庫。
【請求項８】
室外機と室内機とを有する冷凍サイクル装置が設けられた冷却倉庫を制御する制御装置であって、
前記冷却倉庫は、
庫外空気を導入する導入口及び庫内空気を排出する排出口がそれぞれ形成された倉庫本体と、
前記導入口に設けられ、前記導入口を開閉する導入蓋と、
前記排出口に設けられ、前記排出口を開閉する排出蓋と、
前記倉庫本体の内部に設けられ、冷媒の漏洩を検出する漏洩検出部と、を備え、
前記漏洩検出部によって前記冷媒の漏洩が検出された場合、前記導入口及び前記排出口を開くように前記導入蓋及び前記排出蓋を制御すると共に、前記室内機を停止させる
制御装置。
【国際調査報告】
2017109932.tif 000010
2017109932.tif 000011
2017109932.tif 000012
2017109932.tif 000013